(57)【要約】      （修正有）【課題】盤面レイアウト内で、使用するスイッチが歯抜け状態になることを防止し、システム構成に応じてスイッチを適切な位置に配置することが可能な制御盤を提供する。【解決手段】複数の機能を操作するための複数のスイッチ１〜２４が配置された盤面を有する制御盤１０であって、複数のスイッチのそれぞれに割り当てる機能を任意に設定できる機能設定テーブル１２ａが記憶されたデータベース１２と、複数のスイッチのそれぞれが押されたことに応じて、各スイッチのスイッチ入力情報を読み取り、読み取ったスイッチ入力情報に対応して実施すべき機能を機能設定テーブルから読み出し、読み出した機能を実行する制御部１１とを備える。複数のスイッチは、機能設定テーブルの設定内容が割り振られる。【選択図】図４
2019079287.tif 000002
【特許請求の範囲】
【請求項１】
複数の機能を操作するための複数のスイッチが配置された盤面を有する制御盤であって、
前記複数のスイッチのそれぞれに割り当てる機能を任意に設定できる機能設定テーブルが記憶されたデータベースと、
前記複数のスイッチのそれぞれが押されたことに応じて、各スイッチのスイッチ入力情報を読み取り、読み取った前記スイッチ入力情報に対応して実施すべき機能を前記機能設定テーブルから読み出し、読み出した前記機能を実行する制御部と
を備え、
前記複数のスイッチは、前記機能設定テーブルの設定内容が割り振られる
制御盤。
【請求項２】
前記複数のスイッチは、前記盤面の所定の位置に配置されており、
前記機能設定テーブルは、前記スイッチのうち、使用するスイッチに対しては所望の機能が割り当てられており、使用しないスイッチに対しては機能実行を無効化する割り当てがなされている請求項１に記載の制御盤。
【請求項３】
前記盤面に取り付けられ前記スイッチの機能を表示する盤面シートは、前記スイッチの機能の割り当てを変更したときに、該機能の割り当てに対応して表示が変更される
請求項１または２に記載の制御盤。
【発明の詳細な説明】
【技術分野】
【０００１】
本発明は、端末機器の監視・制御を行う制御盤に関し、特に防災システムに用いられる防災受信盤の盤面スイッチ用途の入替機能を有する制御盤に関する。
【背景技術】
【０００２】
自動車専用道路等のトンネルには、トンネル内で発生する火災事故から人身および車両を守るため、非常用施設が設置されている。このような非常用施設としては、火災の監視と通報のために火災検知器、手動通報装置、非常電話が設けられている。また、火災の消火および延焼防止のために、消火栓装置が設けられ、さらに、トンネル躯体およびダクト内を火災から防護するために、水噴霧ヘッドから消火用水を散水させる水噴霧などが設置される。
【０００３】
このように、トンネル内に設置された種々の端末機器を監視制御する防災受信盤を設けることで、トンネル防災システムを構築している従来技術がある（例えば、特許文献１参照）。
【先行技術文献】
【特許文献】
【０００４】
【特許文献１】実開平４−１１４６９６号公報
【発明の概要】
【発明が解決しようとする課題】
【０００５】
しかしながら、従来技術には、以下のような課題がある。
トンネル防災受信盤の盤面スイッチは、考えられる最大規模のトンネルに対応できる最大システム構成において必要となる最大スイッチ数が、あらかじめ規定の位置に配置されている。このような場合には、トンネルの規模、あるいは設置すべき端末機器の仕様の違いにより、スイッチ数が減少することが考えられる。すなわち、最大システム構成では必要であったスイッチのうち、使用しないスイッチが存在することとなる。
【０００６】
その際、それぞれのスイッチに割り当てる用途が固定されていると、使用しないスイッチが存在することで、使用するスイッチが歯抜け状態となる。従って、ユーザーからスイッチ配置の変更を要求された場合、各スイッチの盤面レイアウトの変更に対応できない。
【０００７】
本発明は、前記のような課題を解決するためになされたものであり、盤面レイアウト内で、使用するスイッチが歯抜け状態になることを防止し、システム構成に応じてスイッチを適切な位置に配置することが可能な制御盤を得ることを目的とする。
【課題を解決するための手段】
【０００８】
本発明に係る制御盤は、ものである。
【発明の効果】
【０００９】
本発明によれば、データベース内の機能設定テーブルを用いることで、複数のスイッチのそれぞれと、実行すべき機能との対応関係を任意に設定できる構成を備えている。この結果、盤面レイアウト内で、使用するスイッチが歯抜け状態になることを防止し、システム構成に応じてスイッチを適切な位置に配置することが可能な制御盤を得ることができる。
【図面の簡単な説明】
【００１０】
【図１】最大システム構成において必要となるスイッチ群を配置した受信盤の盤面レイアウトの一例を示した図である。
【図２】最大システム構成を必要としない従来の受信盤における盤面レイアウトの一例を示した図である。
【図３】従来の受信盤におけるスイッチ入力情報のソフトウェア処理に関する説明図である。
【図４】本発明の実施の形態１に係る受信盤におけるスイッチ入力情報のソフトウェア処理に関する説明図である。
【図５】本発明の実施の形態１において、最大システム構成を必要としない受信盤の盤面レイアウトの一例を示した図である。
【発明を実施するための形態】
【００１１】
以下、本発明の制御盤につき、図面を用いて説明する。
本発明に係る制御盤は、盤面スイッチの用途を自由に設定することを可能とし、ユーザー要求に合わせたスイッチ配置を実現する構成を備えていることを技術的特徴とするものである。そこで、このような技術的特徴を備えた制御盤の具体例について、実施の形態を用いて、防災受信盤を具体例として、以下に詳細に説明する。
【００１２】
実施の形態１．
本発明の具体的な構成を説明する前に、従来技術である防災受信盤の盤面スイッチの構成と、本発明に係る防災受信盤の盤面スイッチの構成を、図面を用いて説明する。
【００１３】
図１は、考えられる最大規模の回線を制御可能な最大システム構成において必要となるハードウェアキーで構成されるスイッチ群を配置した受信盤の盤面レイアウトの一例を示した図である。図１の受信盤１００の盤面レイアウトでは、スイッチ１〜スイッチ２４の２４個のスイッチが配列されている場合を例示している。
【００１４】
この盤面レイアウトでは、中段に「消火装置」、「消火ポンプ」に関連する合計４個のスイッチ９〜スイッチ１２が配置されている。さらに、中段および下段にわたり、「可変情報板Ａ」〜「可変情報板Ｆ」に関連する合計１２個のスイッチ１３〜スイッチ２４が配置されている。なお、それぞれのスイッチの用途に関しては、本願のポイントではないため、説明を省略する。
【００１５】
ここで、トンネルの規模、設置すべき端末機器の仕様などの違いによっては、図１に示すような最大システム構成による２４個のスイッチのうち、いくつかのスイッチが不要になる場合がある。具体的には、消火設備が設けられない場合には「消火装置」、「消火ポンプ」に関連する合計４個のスイッチ９〜スイッチ１２が不要になり、また、トンネルの規模が小さければ「可変情報板Ａ」〜「可変情報板Ｆ」に関連する合計１２個のスイッチ１３〜スイッチ２４の一部が不要になる。
【００１６】
図２は、最大システム構成を必要としない従来の受信盤１００における盤面レイアウトの一例を示した図である。図２の受信盤１００では、「消火装置」、「消火ポンプ」に関連する合計４個のスイッチ９〜スイッチ１２、および「可変情報板Ｅ」、「可変情報板Ｆ」に関連する合計４個のスイッチ２１〜スイッチ２４が不要となった場合を例示している。
【００１７】
図３は、従来の受信盤１００におけるスイッチ入力情報のソフトウェア処理に関する説明図である。２４個のスイッチ１〜スイッチ２４が押されることで、それぞれのスイッチからマイコン１１に対してスイッチ入力情報ＩＮ（１）〜ＩＮ（２４）が読み込まれる。ここで、マイコン１１は、操作されたスイッチに応じた機能を実行する制御部に相当する。
【００１８】
従来の受信盤１００では、それぞれのスイッチ入力情報ＩＮ（１）〜ＩＮ（２４）が、図１に示した最大システム構成の機能と紐付けられて、以下のように対応付けられていた。
スイッチ１のスイッチ入力情報ＩＮ（１）    →防災受信盤  遠方
スイッチ２のスイッチ入力情報ＩＮ（２）    →防災受信盤  直接
：                                        ：
スイッチ２３のスイッチ入力情報ＩＮ（２３）→可変情報板Ｆ  連動
スイッチ２４のスイッチ入力情報ＩＮ（２４）→可変情報板Ｆ  不連動
【００１９】
すなわち、従来の受信盤１００では、スイッチ入力情報と機能が１対１であらかじめ固定で割り当てられており、スイッチ入力情報に対する機能の入れ替えができなかった。このため、例えば、「消火装置」、「消火ポンプ」に関連する合計４個のスイッチ９〜スイッチ１２、および「可変情報板Ｅ」、「可変情報板Ｆ」に関連する合計４個のスイッチ２１〜スイッチ２４が不要となった場合にも、図２のような、不要なスイッチ部分を歯抜け状態とした盤面レイアウトを採用せざるを得なかった。すなわち、ユーザー要求に応じて適切な盤面レイアウトを提供することができていなかった。
【００２０】
これに対して、本願発明は、トンネルの規模、設置すべき端末機器の仕様などの違いに応じて、盤面レイアウトを適切に変更できる構成を備えている。図４は、本発明の実施の形態１に係る受信盤におけるスイッチ入力情報のソフトウェア処理に関する説明図である。図４に示すように、本実施の形態１における受信盤１０は、各スイッチ入力情報ＩＮ（１）〜ＩＮ（２４）を所望の機能と対応付けることを可能とする機能設定テーブル１２ａが格納されたデータベース１２をさらに備えている。
【００２１】
本実施の形態１に係る受信盤１０においては、それぞれのスイッチ入力情報ＩＮ（１）〜ＩＮ（２４）がデータベース１２内のスイッチ情報ＤＢ（１）〜ＤＢ（２４）と対応付けられている。
スイッチ１のスイッチ入力情報ＩＮ（１）    →  スイッチ情報ＤＢ（１）
スイッチ２のスイッチ入力情報ＩＮ（２）    →  スイッチ情報ＤＢ（２）
：
スイッチ２３のスイッチ入力情報ＩＮ（２３）→  スイッチ情報ＤＢ（２３）
スイッチ２４のスイッチ入力情報ＩＮ（２４）→  スイッチ情報ＤＢ（２４）
【００２２】
さらに、データベース１２内では、それぞれのスイッチ情報ＤＢ（１）〜ＤＢ（２４）に対して、任意の機能が割り当てられた機能設定テーブル１２ａが記憶されている。
スイッチ情報ＤＢ（１）  →  任意の機能１を設定
スイッチ情報ＤＢ（２）  →  任意の機能２を設定
：
スイッチ情報ＤＢ（２３）→  任意の機能２３を設定
スイッチ情報ＤＢ（２４）→  任意の機能２４を設定
【００２３】
このような構成を備えることで、マイコン１１は、スイッチ入力情報ＩＮ（１）〜ＩＮ（２４）を読み取った際に、データベース１２内の機能設定テーブル１２ａを参照することで、以下のような対応関係を導き出すことができる。
スイッチ１のスイッチ入力情報ＩＮ（１）    →任意の機能１
スイッチ２のスイッチ入力情報ＩＮ（２）    →任意の機能２
：
スイッチ２３のスイッチ入力情報ＩＮ（２３）→任意の機能２３
スイッチ２４のスイッチ入力情報ＩＮ（２４）→任意の機能２４
【００２４】
すなわち、本実施の形態１に係る受信盤１０では、スイッチ入力情報と機能を、任意設定により所望の１対１の関係として割り当てることができる。この結果、スイッチ入力情報に対する機能の入れ替えが容易に実現できる。
【００２５】
図５は、本発明の実施の形態１において、最大システム構成を必要としない受信盤の盤面レイアウトの一例を示した図である。より具体的には、この図５は、先の図２の場合と同様に、「消火装置」、「消火ポンプ」に関連する合計４個のスイッチ、および「可変情報板Ｅ」、「可変情報板Ｆ」に関連する合計４個のスイッチが不要となった場合における適切な盤面レイアウトを例示している。
【００２６】
従来の受信盤１００では、スイッチ入力情報と機能が１対１で固定されて割り当てられていたため、図２に示したような歯抜け状態の盤面レイアウトを採用せざるを得なかった。これに対して、本実施の形態１における受信盤１０では、データベース１２内の機能設定テーブル１２ａとして、適切な設定を行うことで、図５に示したような、歯抜けが存在しない適切な盤面レイアウトを実現できる。
【００２７】
なお、盤面に取り付けられスイッチの機能を表示する盤面シートは、スイッチ入力情報に機能を割り当てる設定時に、例えば、その割り当てに応じてプリントしてスイッチプレート板金に貼付し、受信盤１０に取り付ける必要がある。盤面シートを貼付したスイッチプレート板金は、交換可能であるため、受信盤１０を有するシステムの納入時だけではなく、納入後のリニューアルの際にも対応することができる。すなわち、盤面のスイッチに割り当てられる機能を所望の機能に設定したとき、または変更したときに、各スイッチに割り振られる機能に対応するように盤面シートの表示を変更し、盤面に取り付けられる。
【００２８】
図５の盤面レイアウトを実現するための具体的な機能設定テーブル１２ａの設定内容は、以下のようになる。
スイッチ情報ＤＢ（１）  →  防災受信盤  遠方
スイッチ情報ＤＢ（２）  →  防災受信盤  直接
スイッチ情報ＤＢ（３）  →  音響停止  主音響
スイッチ情報ＤＢ（４）  →  音響停止  ブザー
スイッチ情報ＤＢ（５）  →  試験  動作／導通
スイッチ情報ＤＢ（６）  →  試験  ランプ
スイッチ情報ＤＢ（７）  →  外部信号  遮断
スイッチ情報ＤＢ（８）  →  復旧
スイッチ情報ＤＢ（９）  →  可変情報板Ａ  連動
スイッチ情報ＤＢ（１０）→  可変情報板Ａ  不連動
スイッチ情報ＤＢ（１１）→  可変情報板Ｂ  連動
スイッチ情報ＤＢ（１２）→  可変情報板Ｂ  不連動
スイッチ情報ＤＢ（１３）→  可変情報板Ｃ  連動
スイッチ情報ＤＢ（１４）→  可変情報板Ｃ  不連動
スイッチ情報ＤＢ（１５）→  可変情報板Ｄ  連動
スイッチ情報ＤＢ（１６）→  可変情報板Ｄ  不連動
スイッチ情報ＤＢ（１７）→  （割り付けなし）
：                        ：
スイッチ情報ＤＢ（２４）→  （割り付けなし）
【００２９】
また、本実施の形態１に係る受信盤１０は、データベース１２内の機能設定テーブル１２ａの設定により、スイッチ情報ＤＢ（１）〜スイッチ情報ＤＢ（１６）の各機能の配列を入れ替える、あるいは、スイッチ情報ＤＢ（１７）〜スイッチ情報ＤＢ（２４）にオプション機能を追加するといったことも可能である。
【００３０】
さらに、使用しないスイッチに対して、機能を割り付けないように機能設定テーブル１２ａを設定することで、使用しないスイッチを無効化することができる。この結果、最大システム構成による最大スイッチ数を流用しつつ、盤面レイアウトの設計を、ユーザの要望に応じて自由に行うことができる。
【００３１】
また、受信盤１０の盤面レイアウトでは、各行ごとに基板が設けられることがある。例えば、図５の盤面レイアウトでは、スイッチが３行あるので、基板は３つ設けられる。そのような受信盤１０の場合、機能設定テーブル１２ａの設定で割り付けをしなかった行（図５における最下の行）は、基板が不要になるため、不要な基板は設けないということもできる。これにより、歯抜けのない盤面レイアウトにしつつ、不要な基板を削除できるので、コストおよび作業工数の低減も図ることができる。
【００３２】
以上のように、実施の形態１によれば、データベース内の機能設定テーブルとして、それぞれのスイッチとそれぞれの機能との対応関係を任意に設定できる構成を備えている。この結果、使用するスイッチが歯抜け状態になることを防止し、システム構成に応じてスイッチを適切な位置に配置することが可能な受信盤を容易に実現することができる。
【００３３】
なお、本実施の形態１では、受信盤１０は、トンネルに設けられる防災受信盤、火災報知設備の火災受信機、スイッチ類を備えた操作盤等の制御盤を含み、本発明は、これらの制御盤のスイッチに所望の機能を割り当てて、歯抜けのない盤面レイアウトにするものである。
【００３４】
また、実施の形態１のスイッチは、ハードウェアキーだけではなく、液晶等の画面に表示されるソフトウェアキーにも適用可能である。
【符号の説明】
【００３５】
１０  受信盤、１１  マイコン（制御部）、１２  データベース、１２ａ  機能設定テーブル。
【図１】
2019079287.tif 000003
【図２】
2019079287.tif 000004
【図３】
2019079287.tif 000005
【図４】
2019079287.tif 000006
【図５】
2019079287.tif 000007